(57)【特許請求の範囲】
【請求項１】
エアアシストタイプのイオナイザーと、そのイオナイザーにエアを供給するエア供給配管と、を備えたイオナイザーシステムが、複数の作業台又は複数の作業室のそれぞれに設置され、これら複数のイオナイザーシステムのそれぞれのエア供給配管が１つのエア供給手段に接続されてなるイオナイザーシステムにおいて、
前記複数のイオナイザーシステムのそれぞれが、
前記エア供給配管に設置された電磁弁と、
前記電磁弁を開閉する制御装置と、
作業者の有無あるいは処理対象となる帯電体の有無を検出し、前記制御装置に検出信号を送信する検出センサと、を有し、
前記制御装置は、前記検出センサから送られる検出信号に基づいて、前記電磁弁を開閉することを特徴とするイオナイザーシステム。
【請求項２】
前記イオナイザーには、複数の針状電極と、複数のエアノズルが設けられ、
各針状電極が、各エアノズル内に配置されていることを特徴とする請求項１のイオナイザーシステム。
【請求項３】
前記制御装置は、
前記検出センサから、作業者が存在する、あるいは帯電体が存在するという検出信号が送出された場合に、前記電磁弁を開とし、
前記検出センサから、作業者が存在しない、あるいは帯電体が存在しないという検出信号が送出された場合に、前記電磁弁を閉とすることを特徴とする請求項１又は２記載のイオナイザーシステム。
【発明の詳細な説明】
【技術分野】
【０００１】
本発明は、イオナイザーシステム及び局所排気システムに係り、特に、優れた省エネ機能を有するイオナイザーシステム及び局所排気システムに関するものである。
【背景技術】
【０００２】
従来から、エアを電極周辺へ供給して、電極から発生する正負イオンを帯電体に吹き付けるタイプのイオナイザーシステムが用いられている（特許文献１参照）。このようなタイプのイオナイザーシステムは、例えば、図４に示すように、エアアシストタイプのイオナイザー１と、そのイオナイザーのエアチャンバ１１にエアを供給するエア供給配管２と、このエア供給配管２に設置された流量計３、流量調節弁４及び減圧弁５とから構成されている。
【０００３】
また、前記イオナイザー１には複数個の針状電極１２が設けられ、これら各針状電極１２には交流高圧電源１３が接続されている。また、前記イオナイザー１には下方に向かって複数個のエアノズル１４が設けられ、前記針状電極１２が各エアノズル１４内に配置されている。そして、上記のような構成を有するイオナイザーシステムが各作業台又は各作業室に設置され、複数台のイオナイザーシステムのエア供給配管２が１台のコンプレッサー又はエアポンプ６に接続されている。
【０００４】
上記のような構成を有する従来のイオナイザーシステムにおいては、前記エアチャンバ１１に供給されたエアは各針状電極１２の近傍に供給され、交流高圧電源１３によって針状電極１２に高電圧が印加されることにより、コロナ放電が発生する。これによって、エアノズル１４においては、針状電極１２の周囲のエアがイオン化され、このイオンが連続的に供給されるエアによってエアノズル１４の外部へ運び出される。すなわち、エアチャンバ１１内に供給されたエアがエアノズル１４の上方から流入し、図中矢印方向に流れて、エアノズル１４の下部先端から流出するように構成されている。
【０００５】
また、一般に、各種の作業台の近傍又は作業室にはドラフトチャンバ等の局所排気装置が設置されている。この局所排気装置においては、例えば、図５に示すように、各ドラフトチャンバの吸込口２０にそれぞれ吸気用配管２１が接続され、複数個の吸気用配管２１が集合配管２２を介して１台の排気ファン２３に接続されている。なお、このような局所排気装置は各作業場所等でそれぞれ独立に使用されている。
【先行技術文献】
【特許文献】
【０００６】
【特許文献１】特開２００６−２３６７６３号公報
【発明の概要】
【発明が解決しようとする課題】
【０００７】
しかしながら、上述したような従来のイオナイザーシステムにおいては、作業者がいない場合や帯電した製品がイオナイザー下に到達していない場合、すなわち、イオナイザーへエアを供給する必要がない場合でも、コンプレッサー６から供給されるエアを遮断せずに放置している場合が多い。そのため、コンプレッサー６の動力量が上昇し、省エネの観点から問題になっていた。
【０００８】
また、作業者に、作業をするときだけ流量調節弁４を開いてエアをイオナイザーに供給するように指示しても、作業者は忘れることが多く、省エネの実現は困難であった。また、一般に作業者は、ドラフトチャンバ等による局所排気が必要でない場合でも、その都度、排気ファン２３を停止しないことが多いため、省エネの観点から問題になっていた。
【０００９】
本発明は、上述したような従来技術の問題点を解決するために提案されたものであり、その目的は、優れた省エネ機能を有するイオナイザーシステム及び局所排気システムを提供することにある。
【課題を解決するための手段】
【００１０】
上記目的を達成するため、請求項１に記載の発明は、エアアシストタイプのイオナイザーと、そのイオナイザーにエアを供給するエア供給配管と、を備えたイオナイザーシステムが、複数の作業台又は複数の作業室のそれぞれに設置され、これら複数のイオナイザーシステムのそれぞれのエア供給配管が１つのエア供給手段に接続されてなるイオナイザーシステムにおいて、前記複数のイオナイザーシステムのそれぞれが、前記エア供給配管に設置された電磁弁と、前記電磁弁を開閉する制御装置と、作業者の有無あるいは処理対象となる帯電体の有無を検出し、前記制御装置に検出信号を送信する検出センサと、を有し、前記制御装置は、前記検出センサから送られる検出信号に基づいて、前記電磁弁を開閉するものである。
【００１１】
上記のような構成を有する請求項１に記載の発明によれば、イオナイザーの近傍に作業者が存在しない、あるいは、イオナイザーの下に処理対象となる帯電体が存在しない場合には、適宜エアの供給を停止することができるので、エアの使用量が減少し、その結果、コンプレッサー等のエア供給手段の稼働時間が減少する。これにより、大幅な省エネを実現することができる。
【発明の効果】
【００１７】
本発明によれば、優れた省エネ機能を有するイオナイザーシステム及び局所排気システムを提供することができる。
【図面の簡単な説明】
【００１８】
【図１】本発明に係るイオナイザーシステムの構成を示す図である。
【図２】本発明に係る局所排気システムの構成を示す図である。
【図３】本発明に係る局所排気システムの他の構成を示す図である。
【図４】従来のイオナイザーシステムの構成を示す図である。
【図５】従来の局所排気システムの構成を示す図である。
【発明を実施するための形態】
【００１９】
以下、本発明に係るイオナイザーシステム及び局所排気システムの具体的な実施の形態を、図面を参照して説明する。
【実施例１】
【００２０】
（１−１）実施例１の構成
本実施例のイオナイザーシステムにおいては、図１に示すように、エア供給配管２に電磁弁（流路開閉弁）３０が設置されると共に、作業者の有無あるいは処理対象となる帯電体の有無を検出する光電センサ等の検出センサ３１が所定の位置に設置され、この検出センサ３１から送られる検出信号に基づいて、前記電磁弁３０を開閉する制御装置３２が設けられている。その他の構成は図４に示した従来型と同様であるので、説明は省略する。
【００２１】
（１−２）実施例１の作用
上記のような構成を有する本実施例のイオナイザーシステムは、以下のように作用する。すなわち、前記検出センサ３１によってイオナイザーの近傍に作業者が存在する、あるいは、イオナイザーの下に処理対象となる帯電体が存在するという検出信号が送出された場合には、前記制御装置３２によって電磁弁３０が“開”とされ、エア供給配管２を介してイオナイザー１にエアが供給される。
【００２２】
一方、前記検出センサ３１によってイオナイザーの近傍に作業者が存在しない、あるいは、イオナイザーの下に処理対象となる帯電体が存在しないという検出信号が送出された場合には、前記制御装置３２によって電磁弁３０が“閉”とされ、エア供給配管２からのエアの供給は停止される。
【００２３】
（１−３）実施例１の効果
上述したように、本実施例のイオナイザーシステムによれば、イオナイザーの近傍に作業者が存在しない、あるいは、イオナイザーの下に処理対象となる帯電体が存在しない場合には、適宜エアの供給を停止することができるので、エアの使用量が減少し、その結果、コンプレッサー６の稼働時間が減少する。これにより、大幅な省エネを実現することができる。
【実施例２】
【００２４】
（２−１）実施例２の構成
本実施例の局所排気装置においては、図２に示すように、前記吸気用配管２１に電動ダンパ（自律型流路開閉弁）４０が設置されると共に、前記局所排気装置の近傍に作業者が存在するか否かを検出する光電センサ等の検出センサ４１が設置され、この検出センサ４１から送られる検出信号に基づいて、前記電動ダンパ４０を開閉する第１の制御装置４２が設けられている。
【００２５】
また、複数の作業室等に設置された前記吸気用配管２１が合流する集合配管２２には排気ファン２３が設置され、その排気ファン２３のサクション側には圧力センサ４３が設置されている。そして、前記圧力センサ４３から送られる検出信号に基づいて、インバータ４４によって前記排気ファン２３の回転数を適宜調節する第２の制御装置４５が設けられている。その他の構成は図５に示した従来型と同様であるので、説明は省略する。
【００２６】
（２−２）実施例２の作用
上記のような構成を有する局所排気装置は、以下のように作用する。すなわち、前記検出センサ４１によって局所排気装置の近傍に作業者が存在するという検出信号が送出された場合には、前記第１の制御装置４２によって電動ダンパ４０が“開”とされ、前記吸込口２０からエアが吸い込まれ、前記排気ファン２３によって外部に排気される。
【００２７】
一方、前記検出センサ４１によって局所排気装置の近傍に作業者が存在しないという検出信号が送出された場合には、前記第１の制御装置４２によって電動ダンパ４０が“閉”とされ、前記吸気用配管２１によるエアの吸い込みは停止される。このようにして、排気ファン２３による排気量が減少すると、排気ファン２３のサクション側の圧力が低下するので、それを圧力センサ４３で検出し、前記第２の制御装置４５によってインバータ４４で排気ファン２３の回転数を下げることにより、排気ファン２３の動力量を減少させることができる。
【００２８】
（２−３）実施例２の効果
上述したように、本実施例によれば、局所排気装置の近傍に作業者が存在しない場合には、適宜吸気用配管２１によるエアの吸い込みを停止することができるので、排気量が減少し、排気ファン２３の動力量が減少する。これにより、大幅な省エネを実現することができる。
【００２９】
また、本実施例においては、局所排気装置の近傍に設置された検出センサ４１から送られる検出信号に基づいて前記電動ダンパ４０を開閉する第１の制御装置４２と、集合配管に設置された圧力センサ４３から送られる検出信号に基づいて前記排気ファン２３の回転数を適宜調節する第２の制御装置４５とを別個に構成したことにより、システム構成が簡易なものとなる。
【００３０】
（３）他の実施例
なお、本発明は上述した実施例に限定されるものではなく、具体的な各部材の形状、あるいは取付け位置及び方法は適宜変更可能である。例えば、図３に示したように、上記実施例２に示した集合配管２２に設置されていた圧力センサ４３を省略し、前記第１の制御装置４２によって、検出センサ４１から送られる検出信号に基づいて、前記電動ダンパ４０を開閉すると同時に、前記排気ファン２３の回転数を適宜調節するように構成しても良い。
【００３１】
この場合も、局所排気装置の近傍に作業者が存在しない場合には、適宜吸気用配管２１によるエアの吸い込みを停止することができるので、排気量が減少し、排気ファン２３の動力量が減少する。これにより、大幅な省エネを実現することができる。
【符号の説明】
【００３２】
１…イオナイザー
２…エア供給配管
３…流量計
４…流量調節弁
５…減圧弁
６…コンプレッサー又はエアポンプ
１１…エアチャンバ
１２…針状電極
１３…交流高圧電源
１４…エアノズル
２０…吸込口
２１…吸気用配管
２２…集合配管
２３…排気ファン
３０…電磁弁
３１…検出センサ
３２…制御装置
４０…電動ダンパ
４１…検出センサ
４２…第１の制御装置
４３…圧力センサ
４４…インバータ
４５…第２の制御装置
【図１】
0005541564.tif 000002
【図２】
0005541564.tif 000003
【図３】
0005541564.tif 000004
【図４】
0005541564.tif 000005
【図５】
0005541564.tif 000006